(57)【要約】      （修正有）【課題】消臭効果が高く、簡易で使いやすく、しかも竹を素材として活用できる消臭部材の提供。【解決手段】消臭部材１は、植繊機により加圧しつつ破砕および混錬して処理された竹繊維２と、竹繊維２を保持する通気性の不織綿からなる袋状部材３を有する。袋状部材３の大きさおよび中に入れられる竹繊維２の量は、用途により選択できるが、消臭部材は消臭能力が高く、長期間持続するので、室内において使用する場合などでは、比較的小さくてもよい。【選択図】図１
2015027441.tif 000002
【特許請求の範囲】
【請求項１】
植繊機により加圧しつつ破砕および混錬して処理された竹繊維と、竹繊維を保持する通気性の袋状部材を有する消臭部材。
【請求項２】
袋状部材の素材が不織綿である請求項１に記載の消臭部材。
【請求項３】
排気ダクト内に設置するための取付部を有し、排気ダクトを通過する空気の消臭を行う請求項１に記載の消臭部材。
【請求項４】
長方形の断面を有するダクト部と、ダクト部の端部から広がる形状の吸引口部と、ダクト部の内部に設けられた消臭部材取付部と、消臭部材取付部のある位置においてダクト部の側面に設けられた開閉可能な窓部を有する排気ダクトと、
植繊機により加圧しつつ破砕および混錬して処理された竹繊維と、竹繊維を保持する通気性の袋状部材と、排気ダクト内に設置するための取付部を有する消臭部材を用い、
窓部を開き、消臭部材の取付部を消臭部材取付部に合わせて取り付け、窓部を閉め、室内の空気を吸引口部より吸引し、消臭部材を通過させて空気を消臭しながら室外へ排出する排気方法。
【請求項５】
靴の内部に入る大きさであり、靴内の臭いを吸着するための請求項１または請求項２に記載の消臭部材。
【請求項６】
遺体の近くに置かれ、遺体の臭いを吸着するための請求項１または請求項２に記載の消臭部材。
【請求項７】
ゴミ箱の中に置かれ、ゴミの臭いを吸着するための請求項１または請求項２に記載の消臭部材。
【請求項８】
冷蔵庫の中に置かれ、冷蔵庫内の臭いを吸着するための請求項１または請求項２に記載の消臭部材。
【発明の詳細な説明】
【技術分野】
【０００１】
本発明は、竹を使用した消臭部材および消臭方法に関する。たとえば、竹繊維を企業のオフィスや家庭内、あるいは車内、さらには食品工場など密閉された空間に、袋状やネット状の中に竹繊維を入れたものを置いて、空気の消臭を行う。
【背景技術】
【０００２】
従来、脱臭剤は合成された化学製品がほとんどであった。天然の消臭袋としては、たとえば特許文献１に、不織布の袋に切断した蓬莱竹の葉を詰めてプラスチックの結わえ具で袋の口を結わえたものが記載されている。特許文献２には竹粉を使用した脱臭・抗菌性ペット用品が記載されている。さらに、特許文献３には、竹粉末からなる脱臭材が充填された筒型セルを備え、その吸入口より悪臭物質を流速０．５〜１０ｃｍ／秒により流入させ、該脱臭材を介して排気口より強制排気させる脱臭装置が記載されている。
【先行技術文献】
【特許文献】
【０００３】
【特許文献１】特開２００６−３２６１９９号公開特許公報
【特許文献２】特開２０１３−４２７５３号公開特許公報
【特許文献３】特開２００７−３１３４７１号公開特許公報
【発明の概要】
【発明が解決しようとする課題】
【０００４】
特許文献１の消臭袋は、不織布の袋に切断した蓬莱竹の葉を詰めたものであるが、葉は植物全体に対して小さな部分でしかなく、利用できる量が限られる。また、葉をシュレッダーにかけて細短く切っただけでは十分な消臭力は得られない。
【０００５】
特許文献２に記載された竹粉を使用した脱臭・抗菌性ペット用品は、森林や山野へ広がる竹を資源として活用するものであり、環境の面からも資源の再利用の面からも優れたものである。しかし、竹粉を綿シート及び合繊フィルムシートに封入埋蔵するものは、ペットの飼育場所に敷くのに便利であるが、室内全体の空気の消臭には向いていない。
【０００６】
特許文献３の脱臭装置も竹粉を使用するので、活性炭よりも安価という利点がある。しかし、特許文献３の脱臭装置では直径３０ｃｍで長さ１００ｃｍという大きな筒型セル（同文献００１４段落）を３本並列に設置する（図１）というような大型の装置であり、通常の排気ダクト中に設けることはできない。また、竹粉の交換においては、その大型の筒型セルを交換しなければならず、運用における維持・管理の負担が大きい。
【０００７】
この発明は、消臭効果が高く、簡易で使いやすく、しかも竹を素材として活用できる消臭部材を提供することを目的とする。
【課題を解決するための手段】
【０００８】
上記の目的を解決するために、この発明の消臭部材は、植繊機により加圧しつつ破砕および混錬して処理された竹繊維と、竹繊維を保持する通気性の袋状部材を有する。袋状部材の素材としては、例えば不織綿を使用することができる。
【０００９】
この発明の消臭部材は、排気ダクトを通過する空気の消臭にも使用できる。その場合、排気ダクト内に設置するための取付部を備える。この発明の排気方法は、長方形の断面を有するダクト部と、ダクト部の端部から広がる形状の吸引口部と、ダクト部の内部に設けられた消臭部材取付部と、消臭部材取付部のある位置においてダクト部の側面に設けられた開閉可能な窓部を有する排気ダクトと、植繊機により加圧しつつ破砕および混錬して処理された竹繊維と、竹繊維を保持する通気性の袋状部材と、排気ダクト内に設置するための取付部を有する消臭部材を用い、窓部を開き、消臭部材の取付部を消臭部材取付部に合わせて取り付け、窓部を閉め、室内の空気を吸引口部より吸引し、消臭部材を通過させて空気を消臭しながら室外へ排出する。
【発明の効果】
【００１０】
この消臭部材は、消臭効果が高く、しかも長時間持続する。竹の破片を消臭材として使用するので、森林や山野へ広がる竹を資源として活用するものであり、森林や山野を良好な状態に保全に資する。設置および交換は袋部材ごと簡単に行うことができ、運用が容易である。
【図面の簡単な説明】
【００１１】
【図１】消臭部材の例を示す正面図である。
【図２】植繊機の例を示す正面図である。
【図３】消臭部材の別の例を示す正面図である。
【図４】排気ダクト用の消臭部材の例を示す正面図である。
【図５】排気ダクト用の消臭部材の例を示す断面図である。
【図６】排気ダクトおよび排気方法の例を模式的に示す正面図である。
【図７】靴用の消臭部材の例を示す正面図である。
【発明を実施するための形態】
【００１２】
この発明を実施するための形態について説明する。図１は消臭部材の例を示す正面図である。
【００１３】
消臭部材１は、植繊機により加圧しつつ破砕および混錬して処理された竹繊維２と、竹繊維を保持する通気性の袋状部材３を有する。袋状部材３の大きさおよび中に入れられる竹繊維２の量は、用途により選択できるが、後述の通りこの発明の消臭部材は消臭能力が高く、しかも長期間持続するので、室内において使用する場合などでは、比較的小さくてもよい。さらに、プラスティックフィルムなど空気を通さない外袋４により密封しておけば、消臭力を低下させることなく長期間保存することができる。使用直前にプラスティックフィルムの外袋４から取出せばよい。
【００１４】
繊維化された竹の破片の製造方法の例について説明する。繊維化するための装置および方法としては、例えば、特開平１１−２６２７５０号公開特許公報に記載されたものを用いてもよい。
【００１５】
竹としては、たとえば孟宗竹、和竹、笹竹などが使用できる。これらの竹を切り出して使用する。主に茎の部分が使用されるが、枝や葉の部分は取り除いてもよく、また、そのまま一緒に使用してもよい。
【００１６】
切り出された竹をまず破砕する。捻じれ刃付き円盤カッタを３枚取付けたシャフトを２本近接させることにより、捻じれ刃付き円盤カッタが対峙した３つの組合せを形成し、その円盤カッタの組合せの間を竹を通過させることにより竹を破砕する。この破砕を２回繰り返してもよい。こうして、竹は細かなチップにされる。
【００１７】
ついで、植繊機を用いて竹チップを加圧しつつ破砕および混錬して繊維化する。図２は、植繊機の構造を模式的に示す断面図である。植繊機５は先端にナイフが形成されたスクリュー６を内蔵したシリンダ７を有しており、さらにこのシリンダの前後端部には、カバー８が設けられている。そして、前側のカバーには、繊維化された竹チップが通過するための排出孔が形成されている。シリンダにはチップの導入口９があり、ここより導入された竹チップはシリンダを通過するときに、加圧しつつ破砕および混錬される。この特にチップ自体の発熱も作用し、竹チップは繊維化される。
【００１８】
前側のカバー８ａを出たところにもカッターがあり、繊維化された竹は所望の長さに切断されながらシリンダ７から排出され、空気中に吐出される。こうして、０．１〜１０ｍｍの長さの竹のチョップトストランド（繊維化された竹の破片）が得られる。これを熱風により乾燥させる。
【００１９】
次に、繊維化された竹の破片の性質について説明する。表１は、この発明に係る竹繊維の消臭能力試験の結果を示す。実施例と記載されているのは、上述の製造方法により得られた竹繊維である。比較例１は植物揉摺機として販売されている破砕機によって破砕された竹破砕物である。比較例２は、微生物により消臭を行う市販の消臭材である。さらに、消臭材となるものを何も入れない例についても同様に試験を行った。
【表１】
2015027441.tif 000003
【００２０】
実施例、比較例１および比較例２をそれぞれ入れた同形状・同体積の容器を用意する。また、何も入れない容器も用意する。これらの容器に、臭気発生源となるべき生ごみのサンプルを入れた。このサンプルは、キャベツ、ニンジン、ジャガイモの皮、たまねぎ、りんごの皮、肉（合挽ミンチ）、鯵の頭と内臓を用いた。この生ごみサンプルを等量、それぞれの容器に入れ、さらに約１０ｍｌの水を加える。
【００２１】
これを密封し、５日間にわたって中の空気のアンモニア、アミン類、メチルメルカプタン、エチレンの濃度を測定した。測定には、株式会社ガステックスの検知管を使用した。全ての成分に対し、実施例の効果が確認される。
【００２２】
全ての成分に対し、実施例の効果が確認される。特に、メチルメルカプタンやエチレンに対しては、竹を使用した比較例１よりも実施例の方が効果が高いことがわかる。この発明の竹の破片は繊維化されており、しかもそれが広がっていることより、空気との接触面積が大きいことによると考えられる。
【実施例１】
【００２３】
この発明の第１の実施例として、室内に置く消臭部材に適用する例についてさらに詳細に説明する。繊維化された竹の破片を製造すると、数ｍｍレベルのストランド以外に、もっと短い粉状のものも発生する。これらが外に出ないようにするために、織目や網目の細かな素材の袋状部材で封入することが好ましい。たとえば、ガーゼ生地の内袋で封入した上に、合成繊維の布地など丈夫な生地の外袋で包むことができる。しかし、袋を二重にすることにより、コストが高くなる面がある。
【００２４】
図３は消臭部材の第１の実施例を示す正面図である。この例では、上部にとじひもを備えた巾着袋を袋状部材として使用する。たとえば、ガーゼ生地の内袋と合成繊維の外袋を一体に縫い合わせて、一つの袋に形成してもよい。上部より竹繊維を導入し、状部のとじひもで閉じることにより、簡単に袋入りの消臭部材を得ることができる。
【００２５】
また、袋を二重構造にすることなく、一重の素材で構成してもよい。この場合、袋状部材の素材は、不織綿が適している。花粉防止用マスク等に使用される素材であり、通気性に優れていながら、高密度である。これにより、コストを押えながらも、細かな粉状の竹繊維まで封じ込め、しかも通気性のある袋状部材を得ることができる。
【００２６】
袋状部材１は、オフィスや家庭内、あるいは車内など消臭を行いたい場所に置くだけでよい。空気は袋状部材３を通って中に入り、臭気成分が内部の竹繊維に吸着されて、効果的に浄化される。消臭効果は長期間持続する。使用後は、袋ごと簡単に撤去できる。また、使用後の竹の繊維は、畑や庭に施すことによって、すぐれた肥料となる。特に、図３に示す例であれば、竹繊維の詰め替えも容易である。
【実施例２】
【００２７】
次に、この発明の第２の実施例について説明する。この発明を排気ダクト２０を通過する空気の消臭に適用する例である。図４は排気ダクト用の消臭部材の例を示す正面図、図５は同Ａ−Ａ断面図、図６は排気ダクトおよび排気方法の例を示す正面図である。
【００２８】
この例においては、消臭部材１は、竹繊維２と、竹繊維２を保持する通気性の袋状部材３を有する上に、排気ダクト内に設置するための取付部１１を備える。竹繊維は図３の例の場合より長めにしてもよく、袋状部材３も粗めの素材にすることができる。図５の例では、金属などの剛性のある薄い部材で袋状部材３の周囲に長方形の枠状の取付部１１を構成している。
【００２９】
消臭部材１の形状は設置する排気ダクト２０のダクト部２１の断面形状に合わせて選択されるが、その厚さ、すなわち、収納される竹繊維の厚さは、空気の流量や臭気成分の濃度、あるいはファン２２の能力に合わせて適宜選択すればよい。
【００３０】
排気ダクトについて説明する。長方形の断面を有するダクト部２１と、ダクト部２１の端部から広がる形状の吸引口部２３と、ダクト部２１の内部に設けられた消臭部材取付部２４と、ダクト部２１の側面に設けられた開閉可能な窓部２５を有する。
【００３１】
吸引口部２３は建物ｘの内部側に設けられる。一方、建物ｘの外部付近にはファン２２が設けられている。ラッパ状に広がった吸引口部２３を設けることにより、多く空気をダクト内に導入することができる。
【００３２】
消臭部材取付部２４は、消臭部材１の取付部１１と係合して消臭部材１をダクト部２１の中に固定するものである。ここでは、ダクト部２１の上面および下面の内壁おいて平行に設けられた溝で消臭部材取付部２４が構成され、この溝の間に消臭部材１の枠を挿入する。この消臭部材取付部２４は必要に応じて複数箇所に設けてもよい。
【００３３】
窓部２５は消臭部材取付部２４が設けられた箇所の側面に設けられている。ここを開くことにより、消臭部材１をダクト内に挿入したり、外に取り外したりすることができる。この窓部２５には窓部カバー２６が設けられている。窓部カバー２６は窓部２５を覆うことができる広さを有する板状の部材であり、下部において蝶番２８でダクト部２１に接続されている。蝶番２８により開閉自在であり、上部に設けられたネジ通し孔２７によって、上部をダクト部２１に固定することができる。
【００３４】
排気方法について説明する。図６に示す排気ダクトを食品加工工場など臭気が発生しやすい部屋に設ける。ワイヤ２９などにより天井から吊るすようにして安定化させることができる。
【００３５】
ネジ通し孔２７のネジを外して窓部カバー２６を開くことにより、窓部２５より消臭部材１をダクト内に導入し、消臭部材取付部２４に取り付けることができる。臭気の発生状況などに応じて必要枚数の消臭部材１を取り付ける。
【００３６】
窓部カバー２６を閉じ、ネジ通し孔２７にネジを通して固定する。ファン２２を作動させることにより、排気を開始する。室内の空気は吸引口部２３よりダクト部２１内に導入される。そして、消臭部材１を通過することにより臭気成分が竹繊維に効果的に吸収され、浄化された空気がファン２２を通って建物ｘの外に排出される。
【００３７】
こうして、室内の臭気が空気とともに排出され、室内は快適な状態に保たれる。また、排出される空気も消臭部材１により浄化されており、外部環境に悪臭を出すことはない。この消臭部材１の竹繊維の消臭力が限界に近付いてきたら、消臭部材１の交換を行う。窓部カバー２６を開けて消臭部材を取り出し、新たな消臭部材を挿入する。この消臭部材１の交換は、枠状の取付部１１や袋状部材３ごとカセット式で簡単に行うことができる。使用後の竹繊維は可燃ごみとして処理できるほか、やはり良質な肥料として農業や園芸に使用することができる。
【実施例３】
【００３８】
この発明の第３の実施例について説明する。靴内に置かれ、靴内の臭いを吸着するための消臭部材の例である。図７は、靴用の消臭部材の例を示す正面図である。靴の内部に入る大きさに設定されている。例えば、通気性の袋状部材３を縦１００ｍｍ〜１５０ｍｍ、幅４０ｍｍ〜５５ｍｍの大きさとし、２ｇ〜４ｇの竹繊維３を入れることが好ましい。これにより、ほとんどのサイズの靴の中に入れることができ、しかも、靴内の臭いを十分に抑えることができる。
【００３９】
袋状部材３の素材としては、たとえば、第１の実施例と同様に、ガーゼ生地や不織綿などが使用できる。本例では、この袋状部材３の外側に和紙の袋３０を設け、この中に袋状部材３を入れている。和紙は軽くて丈夫な上、美観に優れ、しかもさまざまな美しい印刷をほどこすことができる。
【００４０】
本例の消臭部材の使用方法について説明する。和紙の袋３０の中に消臭部材１を入れる。和紙の袋３０は上部が開いているので、簡単に出し入れできる。使用者が靴を着用している時は、この消臭部材１をかばんの中などに入れて持ち運ぶことができるが、さらに上着の胸ポケットや内ポケットに入れることもできる。外側は丈夫な和紙の袋３０で包まれているので、ポケットへの出し入れによっても内袋２は痛まない。和紙も十分な通気性を有するので、衣服のポケット中にあるときは、体臭を吸収する。
【００４１】
靴を脱ぐときに、衣服のポケットから消臭部材１を取り出し、和紙の袋３０から消臭部材１の本体を取り出す。この消臭部材１の本体を脱いだ靴の中に入れる。和紙の袋３０は衣服のポケットやカバンの中にしまう。この作業は極めて簡単であり、訪問先においてもさりげなく行うことができる。
【００４２】
靴の中に置かれた消臭部材１の竹繊維３は、靴の臭いを効果的に吸収する。
表２は竹繊維の臭い物質減少効果を示す。体臭に関係する主要な臭い成分について試験を行った。各臭成分ガスの初期濃度は、アンモニア１００ｐｐｍ、酢酸３０ｐｐｍ、硫化水素４ｐｐｍ、メチルメルカプタン８ｐｐｍ、イソ吉草酸約３８ｐｐｍ、ノネナール約１４ｐｐｍ、インドール約３３ｐｐｍである。３ｇの試料を用いて、２時間後に臭成分ガスの濃度を測定し、減少率を求めた。
【表２】
2015027441.tif 000004
竹繊維はほとんどの臭成分ガスを効果的に減少させることが確認できる。特に足の臭いの主要な成分であるイソ吉草酸は９９％取り除くことができる。そして、本例の消臭部材を試したところ、靴から出る臭い成分の９０％以上を消すことも確認された。営業担当者などは客先を訪問することが重要な業務であるが、客先で靴を脱ぐ場合も多い。このとき、靴から出る臭いが気になるが、本例の消臭部材１を使用すれば、臭いの発散を効果的に防止できる。靴を着用するときには、靴から消臭部材１の本体を取り出し、先に取り外した和紙の袋３０に戻せばよい。これをまた、ポケットやカバンに戻す。この動作も簡単にさりげなく行うことができる。
【実施例４】
【００４３】
この発明の第４の実施例について説明する。葬儀会場で使用される葬儀用の例である。葬儀に先立って、遺体を清浄したり、ドライアイスで冷却するなど、遺体の状態を保つための処置はなされる。しかし、死亡から葬儀の終了まではある程度の時間がかかり、その間にも遺体の腐敗は進行する。特に、死後３時間程度経過してから腐敗が始まり、ドライアイスを入れても、腐敗の進行を完全に止めることは困難である。この発明の消臭部材は、遺体から出る死臭の防止にも適用できる。例えば、図３に示すような袋入りの消臭部材を足元、腰回り、わきの近くなどにおいてもよい。この場合、袋の外側には、葬儀にふさわしいような荘厳な模様をほどこすことが好ましい。消臭部材の竹繊維は、遺体から発生する死臭の成分を効果的に吸収し、近くにおいても臭いをほとんど気付かせない。また、この死臭の成分が遺体の表面に触れることによりさらなく腐敗を加速させるが、消臭部材の竹繊維により死臭の成分を吸収してしまうことにより、腐敗の進行を遅らせることができる。これにより、遺体を自然な美しい状態に長時間保つことができ、遺族や参列者にもよい心証を与えることができる。また、このように消臭部材が腐敗の進行を遅らせることができることより、ドライアイスの使用量を少なくすることもできる。この消臭部材は竹繊維と布でできているので、遺体とともに焼却することができる。
【００４４】
また、図３に示すような袋入りの消臭部材を葬儀会場においてもよい。これにより、死臭を消すことができ、さらに訪問者らの体臭も吸収する。
【実施例５】
【００４５】
この発明の第５の実施例について説明する。ゴミ箱に使用される例である。本例では、大きさや形状に特に制限はなく、使用される場所のゴミの量や臭気に応じて適宜選択すればよい。たとえば、図７に示すようなもので、外の包みを省略した消臭材をゴミ箱の近くまたは中に吊り下げや貼り付けで置くことにより、竹繊維が効果的にゴミから発する臭いを吸着し、外に漏れることを防止することができる。臭いを吸収しきった消臭部材は、そのまま可燃ごみとして焼却処分することもできる。
【実施例６】
【００４６】
この発明の第６の実施例について説明する。冷蔵庫の消臭材に使用される例である。本例でも、大きさや形状・竹繊維の料に特に制限はなく、使用される場所の冷蔵庫の大きさや臭気に応じて適宜選択すればよい。図３に示すような外袋入りのものでもよく、普及している冷蔵庫用消臭材のようにかご状のプラスチックの外箱の中に竹繊維入りの袋を納めてもよい。すでに説明したとおり、この発明で用いる竹繊維は食品から発する臭い成分や食品を劣化させるエチレンなどを吸収することができるので、冷蔵庫内を臭いのない良好化状態に保つことができる。
【符号の説明】
【００４７】
１．消臭部材
２．竹の破片（繊維化された竹）
３．袋状部材
５．植繊機
１１．取付部
２０．排気ダクト集塵室
２１．ダクト部
２３．吸引口部
２４．消臭部材取付部
２５．窓部
３０．和紙の袋
【図１】
2015027441.tif 000005
【図２】
2015027441.tif 000006
【図３】
2015027441.tif 000007
【図４】
2015027441.tif 000008
【図５】
2015027441.tif 000009
【図６】
2015027441.tif 000010
【図７】
2015027441.tif 000011